(57)【要約】【課題】            入力される商用電源ＡＣの電圧に係わらず、低電圧電源回路４０に過度な電流が流れるのを抑制するとともに、電力ロスを少なくする。【解決手段】        商用電源ＡＣを整流する整流回路１０と、放電ランプＬＡに電力を供給する点灯回路３０と、点灯回路３０を制御する制御回路５０と、整流回路１０の出力電圧を分圧する第１の分圧回路４１、第１の分圧回路４１と独立し整流回路１０の出力電圧を分圧する第２の分圧回路４２、商用電源ＡＣの電圧を検出する電圧検出回路４３、第２の分圧回路４２に流れる電流を、電圧検出回路４３の検出結果に応じてＯＮ／ＯＦＦするスイッチング回路ＳＷ、制御回路５０に電力を供給する制御電源出力部４４、を有する低電圧電源回路４０とを備えるので、入力される商用電源ＡＣの電圧に係わらず、低電圧電源回路４０に過度な電流が流れるのを抑制するとともに、電力ロスを少なくすることができる。【選択図】          図３
2010102998.tif 000002
【特許請求の範囲】
【請求項１】
商用電源を整流し、直流電圧を得る整流回路と、
前記整流回路で得られた直流電圧を変換して、点灯に供される光源に電力を供給する点灯回路と、
前記点灯回路を制御する制御回路と、
前記整流回路の出力電圧を分圧する第１の分圧回路、前記第１の分圧回路と独立し前記整流回路の出力電圧を分圧する第２の分圧回路、前記商用電源の電圧を検出する電圧検出回路、前記電圧検出回路の検出結果に応じて前記第２の分圧回路に流れる電流をＯＮ／ＯＦＦするスイッチング回路、及び、前記制御回路に電力を供給する制御電源出力部、を有する低電圧電源回路と、
を備えることを特徴とする点灯装置。
【請求項２】
第１の分圧回路の分圧出力と、第２の分圧回路の分圧出力とを接続して、それぞれから出力される電圧を合成する合成回路と、
前記合成回路で合成した電圧を平滑して、制御回路に電力を供給する平滑回路と、
を備えることを特徴とする請求項１に記載の点灯装置。
【請求項３】
合成回路で合成した電圧を所定の一定電圧となるように制御する定電圧回路を備えることを特徴とする請求項２に記載の点灯装置。
【請求項４】
スイッチング手段と並列接続するツェナーダイオードを備えることを特徴とする請求項１〜請求項３のいずれかに記載の点灯装置。
【請求項５】
請求項１〜請求項４のいずれかに記載の点灯装置と、
前記点灯装置が取り付けられる器具本体と、
を具備したことを特徴とする照明装置。
【発明の詳細な説明】
【技術分野】
【０００１】
本発明は、光源を点灯させる点灯装置及び照明装置に対し、特に点灯装置を構成する点灯回路を駆動する低電圧電源回路に関するものである。
【背景技術】
【０００２】
点灯装置は、商用電源を高周波電圧に変換して光源を点灯させるものである。
【０００３】
点灯装置に供給される商用電源は、ＡＣ１００Ｖ、ＡＣ２００Ｖなど電圧が異なっている。一般的には、それぞれの商用電源の電圧に対応した点灯装置が提供されているが、近年、複数の商用電源の電圧に対応した点灯装置が提供されている。（例えば、特許文献１）。
【０００４】
【特許文献１】特開２００７−２１３９２９号公報（図２参照。）
【発明の開示】
【発明が解決しようとする課題】
【０００５】
しかしながら、複数の商用電源の電圧（例えば、ＡＣ１００ＶとＡＣ２００Ｖ）に対応する点灯装置は、入力電圧範囲の最小値（この場合、商用電源電圧がＡＣ１００Ｖ）の時に制御回路が駆動できるように、電源回路の制限抵抗の抵抗値を選定すると、入力電圧範囲の最大値（この場合、商用電源電圧がＡＣ２００Ｖ）の時は、制御電源を生成する低電圧電源回路の制限抵抗に過剰な電流を流れる恐れがあった。
【０００６】
そのため、低電圧電源回路の制御抵抗に過剰な電流が流れると、低電圧電源回路などが発熱して電力ロスが発生するため、省電力化を図ることが困難であった。
【課題を解決するための手段】
【０００７】
本発明に係わる点灯装置は、商用電源を整流する整流回路と、整流回路で得られた直流電圧を昇圧チョッパ回路で昇圧して得られた直流電圧を高周波交流電圧に変換する点灯回路と、点灯回路を制御する制御回路、制御回路に低圧の電源を供給する低電圧電源回路を備えた点灯装置において、低電圧電源回路は、整流回路の出力電圧を分圧する第１の分圧回路と、第１の分圧回路と独立し整流回路の出力電圧を分圧する第２の分圧回路、電圧を検出する電圧検出回路、第２の分圧回路と直列に接続され前記第２の分圧回路に流れる電流をＯＮ／ＯＦＦするスイッチング手段を具備し、スイッチング手段は前記電圧検出回路によりＯＮ／ＯＦＦされる。
【発明の効果】
【０００８】
本発明によれば、入力される商用電源の電圧に係わらず、低電圧電源回路に過度な電流が流れるのを抑制するとともに、電力ロスを少なくすることができる。
【発明を実施するための最良の形態】
【０００９】
実施の形態１．
図１は、本実施の形態を示す照明器具である。
照明器具１は、入力される商用電源ＡＣを変換して、光源（以下、本実施の形態では放電ランプＬＡという。）に電力を供給する点灯装置２と、放電ランプＬＡを機械的に保持するとともに、放電ランプＬＡと点灯装置２を電気的に接続するランプソケット３と、放電ランプＬＡが発する光を反射する反射板４と、点灯装置２と反射板４が取り付けられるとともに、天井などに固定される器具本体５から構成される。
【００１０】
図２は、図１の照明器具に格納された点灯装置の回路構成を示すブロック図であり、図３は、図２のブロック図の各構成の詳細を示す回路ブロック図である。
【００１１】
点灯装置２は、商用電源ＡＣが入力され、入力される商用電源ＡＣを整流するダイオードブリッジＤＢを有する整流回路１０と、整流回路１０に接続され、整流回路１０で整流される電圧よりも高い電圧に昇圧する昇圧チョッパ回路２０と、昇圧チョッパ回路２０に接続され、点灯に供される放電ランプＬＡに電力を供給する点灯回路３０と、整流回路１０に接続され、低電圧電源を生成する低電圧電源回路４０と、低電圧電源回路４０に接続され、点灯回路３０を制御する制御回路５０を備える。
【００１２】
昇圧チョッパ回路２０は、ノイズを低減するコンデンサＣ１と、分圧して入力電圧波形を検出する電圧波形検出抵抗Ｒ１、Ｒ２と、インダクタＬ１と、昇圧チョッパ制御回路ＩＣ１と、抵抗Ｒ３を介して昇圧チョッパ制御回路ＩＣ１からの信号を入力し、この入力する信号に応じてスイッチングしてインダクタＬ１を充放電するＭＯＳ−ＦＥＴ  Ｑ１と、ＭＯＳ−ＦＥＴ  Ｑ１に接続され、ＭＯＳ−ＦＥＴ  Ｑ１に流れる電流を検出する電流検出抵抗Ｒ４と、インダクタＬ１によって昇圧した電圧をダイオードＤ１を介して平滑する平滑コンデンサＣ２と、平滑コンデンサＣ２の電圧を検出する電圧検出抵抗Ｒ５、Ｒ６と、インダクタＬ１の二次側と昇圧チョッパ制御回路ＩＣ１を接続するとともに、インダクタＬ１の一次側に流れる電流を検出する抵抗Ｒ７を備える。
【００１３】
点灯回路３０は、昇圧チョッパ回路２０が生成する直流の電圧を高周波電力に変換するインバータ回路３１と、このインバータ回路３１が出力する高周波電力を点灯に供される光源ＬＡに合わせた電力となるように制御する負荷回路３２を備える。
【００１４】
インバータ回路３１は、昇圧チョッパ回路２０の高電位側にドレイン端子が接続される高電位側のＭＯＳ−ＦＥＴ  Ｑ２と、ドレイン端子が高電位側のＭＯＳ−ＦＥＴ  Ｑ２のソース端子に接続され、ソース端子が昇圧チョッパ回路の低電位側に接続される低電位側のＭＯＳ−ＦＥＴ  Ｑ３を備え、制御回路５０が出力する出力信号をそれぞれのＭＯＳ−ＦＥＴ  Ｑ２、Ｑ３のゲート端子に入力し、ＭＯＳ−ＦＥＴ  Ｑ２とＭＯＳ−ＦＥＴ  Ｑ３が交互にオン／オフして、低電位側のＭＯＳ−ＦＥＴ  Ｑ３のドレイン端子と低電位側ＭＯＳ−ＦＥＴ  Ｑ３のソース端子間に高周波電力を発生する。
【００１５】
負荷回路３２は、インバータ回路３１の低電位側のＭＯＳ−ＦＥＴのドレイン端子、ソース端子に接続され、インダクタＬ２と、点灯に供される放電ランプＬＡと、直流成分をカットする結合コンデンサＣ３を直列接続するとともに、光源ＬＡと並列に始動用コンデンサＣ４が接続されている。
【００１６】
制御回路５０は、インバータ回路の高電位側ＭＯＳ−ＦＥＴ  Ｑ２及び低電位側ＭＯＳ−ＦＥＴ  Ｑ３のスイッチングを制御するインバータ制御回路５１と、放電ランプＬＡの寿命末期などを検出する異常ランプ検出部５２と、インバータ制御回路５１とインバータ回路３１のＭＯＳ−ＦＥＴ  Ｑ２、Ｑ３とをそれぞれ接続する電流制限抵抗Ｒ８、Ｒ９を備える。
【００１７】
異常ランプ検出部５２は、インダクタＬ２と放電ランプＬＡが接続するラインに接続され、放電ランプＬＡが寿命末期になるときなど放電ランプに異常な電圧が印加されていることを検出し、インバータ制御回路にインバータ回路の発振を停止させる、或いはインバータ回路が出力する出力電力を低減させる信号を出力する。
【００１８】
低電圧電源回路４０は、第１の分圧回路４１と、第１の分圧回路４１に並列に接続される第２の分圧回路４２と、第１の分圧回路４１によって分圧された電圧を入力して、商用電源ＡＣの電圧を検出する電圧検出回路４３と、第１の分圧回路４１の出力に接続されるツェナーダイオードＤｚ１及び平滑コンデンサＣ５からなる制御電源出力部４４と、を備える。
【００１９】
第１の分圧回路４１は、直列接続される抵抗Ｒ１０〜抵抗Ｒ１２で構成される。
【００２０】
電圧検出回路４３は、直列接続される抵抗１０〜抵抗１２の一部、ここでは抵抗１２の電圧をさらに分圧する抵抗１３、１４と、抵抗Ｒ１３、Ｒ１４で分圧された電圧を平滑する平滑コンデンサＣ６と、この平滑コンデンサＣ６にカソード端子が接続されるツェナーダイオードＤｚ２と、このツェナーダイオードＤｚ２のアノード端子に接続される抵抗Ｒ１５と、この抵抗Ｒ１５にベース端子が接続されるＮＰＮトランジスタＱ４と、このＮＰＮトランジスタＱ４のコレクタ端子に接続される抵抗Ｒ１６を備える。
【００２１】
抵抗１３、１４で分圧される分圧比は、商用電源ＡＣがＡＣ１００Ｖのとき、抵抗１４にかかる電圧がツェナーダイオードＤｚ２のツェナー電圧よりも低い電圧となり、商用電源ＡＣがＡＣ２００Ｖのとき、抵抗１４にかかる電圧がツェナーダイオードＤｚ２のツェナー電圧よりも高い電圧となるように設定される。
【００２２】
第２の分圧回路４２は、直列に接続された抵抗Ｒ１８、スイッチング回路ＳＷ、抵抗Ｒ１９から構成され、電圧検出回路４３が検出した電圧に基づいて、スイッチング回路ＳＷをオン／オフして、抵抗Ｒ１７、抵抗Ｒ１８によって分圧される電圧を出力する、或いは出力を停止する。
【００２３】
スイッチング回路４２は、電圧検出回路４３のＮＰＮトランジスタＱ４のコレクタ端子にベース端子が接続されるＮＰＮトランジスタＱ５と、ＮＰＮトランジスタＱ５のベース−エミッタ間に並列に接続される抵抗Ｒ１９と、ＮＰＮトランジスタＱ５のコレクタ端子に接続される抵抗Ｒ２０と、この抵抗Ｒ２０にベース端子が接続されるＰＮＰトランジスタＱ６と、このＰＮＰトランジスタＱ６のベース−エミッタ間に並列に接続される抵抗Ｒ２１とを備える。
【００２４】
このスイッチング回路４２は、電圧検出回路４３で検出された検出電圧値が、例えば１５０Ｖを越えると、スイッチング回路ＳＷ（ＰＮＰトランジスタＱ６）はＯＮとなり、電圧検出回路１３で検出される検出電圧値が、１５０Ｖ以下のとき、スイッチング回路ＳＷ（ＰＮＰトランジスタＱ６）はＯＦＦとなる。
【００２５】
次に、低電圧電源回路４０の回路動作について述べる。
【００２６】
まず、商用電源ＡＣの電圧としてＡＣ１００Ｖが入力されたときの回路動作について説明する。
【００２７】
商用電源ＡＣの電圧としてＡＣ１００Ｖが入力されたとき、整流回路１０の出力電圧は直列に接続された抵抗１０、１１の直列回路と抵抗１２で分圧され、平滑コンデンサ５によって平滑され、安定化する。
【００２８】
ツェナーダイオードＤｚ１は、平滑コンデンサＣ５に並列に接続され、平滑コンデンサＣ５に充電される電圧は、所定の一定電圧（例えばＤＣ１５Ｖ）となるように、ツェナーダイオードＤｚ１のツェナー電圧によって制御される。
【００２９】
次に、抵抗１０〜抵抗１２の直列回路の一部、ここでは抵抗１１と抵抗１２にかかる電圧は、抵抗１３、１４で分圧されて平滑コンデンサＣ６で平滑されるが、この平滑コンデンサＣ６に充電される電圧は、商用電源ＡＣの電圧がＡＣ１００Ｖのとき、ツェナーダイオードＤｚ２のツェナー電圧よりも低い電圧になる。
【００３０】
従って、商用電源ＡＣがＡＣ１００Ｖの時、ＮＰＮトランジスタＱ４のベース電流が流れず、ＮＰＮトランジスタＱ４はＯＦＦの状態を維持する。ＮＰＮトランジスタＱ４がＯＦＦの状態のとき、平滑コンデンサＣ５から抵抗Ｒ６を介してＮＰＮトランジスタＱ５のベース端子にベース電流が流れ、ＮＰＮトランジスタＱ５をＯＮにする。
【００３１】
なお、ＮＰＮトランジスタＱ５のベース端子−エミッタ端子と並列に接続されている抵抗Ｒ１９は、ノイズなどの影響によりＮＰＮトランジスタＱ５にベース電流が流れてＮＰＮトランジスタＱ５が誤動作（オン状態）するのを防止するためのインピーダンス素子であり、抵抗に限らずコンデンサであっても構わない。
【００３２】
次に、ＮＰＮトランジスタＱ５がＯＮ状態になるとき、抵抗１７、抵抗２０を介してＰＮＰトランジスタＱ６にベース電流が流れ、ＰＮＰトランジスタＱ６がＯＮ状態となる。このとき、第２の分圧回路４２の出力電圧は、整流回路１０の電圧が抵抗Ｒ１７、ＰＮＰトランジスタＱ６のエミッタ−コレクタ間電圧Ｖｅｃ、抵抗Ｒ１８によって分圧され、この場合抵抗Ｒ１８にかかる電圧が平滑コンデンサＣ５に充電される。
【００３３】
このように、商用電源ＡＣがＡＣ１００Ｖであるとき、第１の分圧回路４１と第２の分圧回路４２のインピーダンスが合成され、また、合成されたインピーダンスは低下するので、整流回路１０から制御電源出力部４４に流れ込む電流値は大きくなる。
【００３４】
よって、商用電源ＡＣの電圧がＡＣ１００Ｖのとき、制御回路５０を動作させるのに必要な電流を安定させて供給することができる。
【００３５】
次に、商用電源ＡＣの電圧として、ＡＣ２００Ｖが入力されたときの回路動作について説明する。
【００３６】
商用電源ＡＣの電圧としてＡＣ２００Ｖが入力されたとき、まず、商用電源ＡＣの電圧がＡＣ１００Ｖのときと同じように、整流回路１０の出力電圧は抵抗１０〜１２の分圧回路で分圧される。
【００３７】
このとき、整流回路１０の出力電圧を抵抗１０〜抵抗１２で分圧し、この分圧され抵抗１１及び抵抗１２に掛かる電圧を更に抵抗１３、抵抗１４で分圧する。抵抗１３、抵抗１４の抵抗値は、電源電圧が例えば１５０ＶのときにツェナーダイオードＤｚ２のツェナー電圧を越えるように設定されている。
【００３８】
抵抗１３、抵抗１４で分圧される電圧は平滑コンデンサＣ６で平滑され、この平滑される電圧は、電源電圧が２００ＶのときにツェナーダイオードＤｚ２のツェナー電圧を越えるので、ツェナーダイオードＤｚ２が導通して電流が流れ、抵抗Ｒ１５を介してＮＰＮトランジスタＱ４にベース電流が流れてＮＰＮトランジスタＱ４がＯＮ状態となる。
【００３９】
このとき、ＮＰＮトランジスタＱ４のコレクタ−エミッタ間の電圧はほぼ０Ｖとなり、ＮＰＮトランジスタＱ４のベースのオン電圧よりも低くなるため、ＮＰＮトランジスタＱ５にベース電流が流れず、ＮＰＮトランジスタＱ５はＯＮ状態とならない。
【００４０】
そのため、ＰＮＰトランジスタＱ６のベース端子にエミッタ電圧よりも高い電圧が印加されるので、ＰＮＰトランジスタＱ６にベース電流が流れずにＯＮ状態とならず、第２の分圧回路４２は出力しない。
【００４１】
このとき、ＰＮＰトランジスタＱ６のエミッタ端子−コレクタ端子間に一定電圧以上の電圧をかけないために、ツェナーダイオードＤｚ３をＰＮＰトランジスタＱ６のエミッタ端子−コレクタ端子間に並列接続する。
【００４２】
このように、商用電源ＡＣがＡＣ２００Ｖであるとき、第１の分圧回路４１と第２の分圧回路４２のインピーダンスが合成されないので、合成されてインピーダンスが低下することなく、整流回路１０から制御電源出力部４４に流れ込む電流値は第１の分圧回路４１によって制限される。
【００４３】
よって、商用電源ＡＣの電圧がＡＣ２００Ｖのとき、制御回路５０を動作させるのに必要な電流に制限することができ、低電圧電源回路４０に過剰な電流が流れないので、電力ロスを低減することができる。
【００４４】
次に、本実施の形態の電源回路と、本実施の形態に示す第２の分圧回路がない電源回路と比較するために、従来の電源回路を図４に示す。
【００４５】
図４は、従来の点灯装置の回路ブロック図である。
【００４６】
図４に示す点灯装置は、図３に示す点灯装置と異なる部分は低電圧電源回路の内部構成が異なっており、図３に示す点灯装置と同じ構成については同符号を付し説明を省略する。
【００４７】
従来の低電圧電源回路は、整流回路１０の出力電圧を分圧するための抵抗１００、抵抗１０１と、抵抗１０１に並列に接続され、分圧された電圧を平滑する平滑コンデンサＣ１００と、平滑コンデンサＣ１００の定格電圧を越えないように所定電圧以下に制限するツェナーダイオードＤｚ１００を備えている。ツェナーダイオードＤｚ１００には、例えばツェナー電圧が１５Ｖのものを選択する。
【００４８】
次に、入力される商用電源ＡＣの電圧に応じて分圧回路（第１の分圧回路、第２の分圧回路及び抵抗Ｒ１００と抵抗Ｒ１０１による分圧回路）に流れる電流を求め、本実施の形態の低電圧回路（図３）と、従来の低電圧回路（図４）に流れる電流値を比較する。
【００４９】
まず、図３の低電圧電源回路４０の第１の分圧回路４１は、仮に抵抗Ｒ１０を１００ｋΩ、抵抗Ｒ１１を１００ｋΩ、抵抗Ｒ１２を２０ｋΩ、ツェナーダイオードＤｚ１のツェナー電圧を１５Ｖとする。図３の低電圧電源回路４０の第２の分圧回路４２は、仮に抵抗Ｒ１７を２００ｋΩ、抵抗Ｒ１８を２０ｋΩとする。
【００５０】
商用電源ＡＣが１００Ｖ時、整流された電圧のピーク値は１４１Ｖとなり、このときは第１の分圧回路４１と第２の分圧回路４２の両方に流れ、このときの合成抵抗値（抵抗Ｒ１０、Ｒ１１、Ｒ１７の合成抵抗値）は、１００ｋΩとなる。合成した抵抗に流れる全電流は、Ｉ＝Ｖ／Ｒ＝（１４１−１５）／１００ｋ＝１．２６ｍＡとなる。
【００５１】
また、商用電源ＡＣが２００Ｖ時、整流された電圧のピーク値は２８２Ｖとなり、このときは第１の分圧回路４１にのみ流れる。このときの抵抗Ｒ１０、Ｒ１１に流れる電流は、Ｉ＝Ｖ／Ｒ＝（２８２−１５）／２００ｋ＝１．３４ｍＡとなる。
【００５２】
したがって、点灯装置２に入力される商用電源ＡＣがＡＣ１００Ｖであっても、ＡＣ２００Ｖであっても第１の分圧回路４１に流れる電流はほぼ一定となっていることが分かる。
【００５３】
よって、このような動作をする事によって、商用電源ＡＣの電圧が高いとき、すなわち、ＡＣ２００Ｖ時に電源側から見た抵抗値が高くなり、第１の分圧回路４１の消費電力を下げることができる。
【００５４】
次に、図４に示す従来の低電圧電源回路の分圧回路に流れる電流について求める。
【００５５】
商用電源ＡＣがＡＣ１００Ｖ時、整流回路１０によって整流された電圧は約１４１Ｖとなる。このとき、低電圧電源回路１００の分圧回路（抵抗Ｒ１００、Ｒ１０１）の抵抗Ｒ１００に流れる電流は、Ｉ＝Ｖ／Ｒ＝（１４１−１５）／１００ｋ＝１．２６ｍＡとなる。
【００５６】
また、商用電源ＡＣがＡＣ２００Ｖ時、整流回路１０によって整流された電圧は約２８２Ｖとなる。低電圧電源回路１００は、第２の分圧回路４２がないので、この電圧は商用電源ＡＣがＡＣ１００Ｖのときと同様の分圧回路に電流が流れるので、抵抗Ｒ１００に流れる電流は、Ｉ＝Ｖ／Ｒ＝（２８２−１５）／１００ｋ＝２．６７ｍＡとなる。
【００５７】
このように、第２の分圧回路４２がない点灯装置２では、入力される商用電源ＡＣの電圧に応じて、低電圧電源回路１００の分圧回路の抵抗Ｒ１００に流れる電流が変化することが分かる。
【００５８】
したがって、本実施の形態に示す低電圧電源回路１００と比較すると、分圧回路の抵抗Ｒ１００に流れる電流が多くなるので、分圧回路で消費される電力が多くなってしまう。
【００５９】
また、商用電源ＡＣの電圧が高いときに分圧回路での消費電力を抑えようとすると、商用電源ＡＣの電圧が低いときに、制御回路５０に供給できる電流が少なくなってしまう。
【００６０】
そのため、第２の分圧回路４２がないとき、商用電源ＡＣの電圧が上昇した分、第１の分圧回路４１に流れる電流が多くなる、或いは、商用電源ＡＣの電圧が下降した分、第１の分圧回路４１に電流が少なくなるので、入力される商用電源ＡＣの電圧によって、第１の分圧回路４１に流れる電流が過剰になって電力ロスが発生したり、制御回路５０に供給できる電流が少なくなって制御回路５０の動作が不安定になったりすることがある。
【００６１】
しかしながら、本実施の形態における低電圧電源回路４０は第２の分圧回路４２を備えるので、商用電源ＡＣの電圧に応じて第１の分圧回路４１に流れる電流がほぼ変化することがなく、電力ロスを抑えることができる。
【００６２】
また、本実施の形態における低電圧電源回路４０は第２の分圧回路４２を備えるので、制御回路５０に供給できる電流がほぼ一定となり、制御回路５０の動作を安定させることができる。
【００６３】
このように、本実施の形態に示す低電圧電源回路４０は、商用電源ＡＣがＡＣ１００Ｖのときは、第１の分圧回路４１と第２の分圧回路４２によって制御回路５０の制御電源Ｖｃｃを生成し、商用電源ＡＣがＡＣ２００Ｖのときは、第１の分圧回路４１によって制御回路５０の制御電源Ｖｃｃを生成するので、点灯装置２に入力される商用電源ＡＣの電源電圧によらず、低電圧電源回路４０の第１の分圧回路４１にほぼ一定の電流を流すことができる。
【００６４】
また、第１の分圧回路４１に流れる電流をほぼ一定にできるので、第１の分圧回路４１で消費される消費電力の変動を少なくすることができ、電力ロスによる発熱量も少なく抑えることができる。
【００６５】
なお、本実施の形態において、点灯装置２に供給される商用電源ＡＣの電圧を、ＡＣ１００ＶとＡＣ２００Ｖの場合について説明したが、これに限らず、点灯装置２に供給される商用電源ＡＣの電圧がＡＣ１００ＶとＡＣ２５４Ｖの場合であってもよい。
【００６６】
また、本実施の形態において、点灯装置２に供給される商用電源ＡＣの電圧を、ＡＣ１００ＶとＡＣ２００Ｖの２系統の場合について説明したが、これに限らず、点灯装置２に供給される商用電源ＡＣの電圧がＡＣ１００ＶとＡＣ２００ＶとＡＣ２５４Ｖのように３系統の場合であってもよく、この場合、第２の分圧回路４２と同等の第３の分圧回路をさらに追加してもよい。
【００６７】
なお、本実施の形態では、光源として放電ランプＬＡを用いる場合について説明したが、放電ランプＬＡに限定されることなく、ミニハロゲン電球やＬＥＤなどを用いてもよい。
【００６８】
また、本実施の形態では、点灯回路３０としてインバータ回路３１を用いる場合について説明したが、インバータ回路３１に限定されることなく、定電流回路などを用いてもよく、光源の種類に応じて適宜選択する。
【００６９】
また、本実施の形態では、昇圧チョッパ回路２０を用いる場合について説明したが、昇圧チョッパ回路２０に限定されることなく、降圧チョッパ回路２０などを用いてもよく、点灯回路３０と同様に、光源の種類に応じて適宜選択する。
【００７０】
実施の形態２．
本実施の形態は、実施の形態１に示す点灯回路の低電圧電源回路の構成が異なるものである。
【００７１】
本実施の形態において、実施の形態１に示す部分と同じ構成の部分は同符号を付し、説明を省略する。
【００７２】
図５を用いて、本実施の形態の点灯装置について説明する。
【００７３】
図５は、本実施の形態の点灯装置を示す回路ブロック図である。
【００７４】
低電圧電源回路４０ａは、第１の分圧回路４１と、第１の分圧回路４１に並列に接続される第２の分圧回路４２ａと、基準値を設定する基準設定回路４５を有し、基準設定回路４５によって設定される基準値と第１の分圧回路４１で分圧される電圧値とを比較して、入力される商用電源ＡＣの電圧を判別する電圧検出回路４３ａと、第１の分圧回路４１の出力電圧と第２の分圧回路４２ａの出力電圧を合成するとともに、制御電源Ｖｃｃとして出力電圧を出力する制御電源出力部４４を備える。
【００７５】
第１の分圧回路４１は、整流回路１０に接続され、直列接続した抵抗Ｒ１０〜抵抗１２で分圧する。
【００７６】
第２の分圧回路４２ａは、整流回路１０に接続され、直列接続される抵抗Ｒ１７、Ｒ１８とスイッチング回路ＳＷａとを備える。
【００７７】
スイッチング回路ＳＷａは、フォトカプラからなり、第２の分圧回路４２ａの抵抗Ｒ１８、Ｒ２１と、電圧検出回路４３ａとを電気的に絶縁して接続する。
【００７８】
電圧検出回路４３ａは、第１の分圧回路４１で分圧される電圧と、基準設定回路４５で設定される基準値とを比較するコンパレータＣＰと、このコンパレータＣＰを動作させる電源を生成する比較判定部電源生成回路ＰＷと、整流回路１０に接続され、直列接続した抵抗Ｒ１６、Ｒ２０を有し、抵抗Ｒ１６と抵抗Ｒ２０の接続点がコンパレータＣＰの出力端子に接続されて出力信号を生成してスイッチング回路ＳＷａを制御する電圧判定出力部４６と、を備える。
【００７９】
なお、電圧検出回路４３ａ（コンパレータＣＰ）に用いる電源は、第１の分圧回路４１及び第２の分圧回路４２ａの出力電圧を合成した電圧をダイオードＤ２を介してコンデンサＣ２２を充電する比較判定部電源生成回路ＰＷによって生成する。
【００８０】
基準設定回路４５は、整流回路１０に接続され、直列接続される抵抗Ｒ２１とツェナーダイオードＤｚ４を備え、さらにツェナーダイオードＤｚ４に並列に接続されるコンデンサＣ２１とを備えており、ツェナーダイオードＤｚ４のツェナー電圧までコンデンサＣ２１が充電され、このコンデンサＣ２１に充電される電圧を基準値としている。この基準設定回路４５で設定する基準値は、商用電源ＡＣがＡＣ１００Ｖのとき、第１の分圧回路が分圧する電圧（電圧値）よりも高い値であり、かつ、商用電源ＡＣがＡＣ２００Ｖのとき、第１の分圧回路が分圧する電圧よりも低い値となるように設定する。
【００８１】
次に、低電圧電源回路４０ａの動作について説明する。
【００８２】
商用電源ＡＣがＡＣ１００Ｖのとき、コンパレータＣＰは、基準設定回路４５の基準値と第１の分圧回路４１が分圧する電圧（電圧値）と比較する。このとき、第１の分圧回路４１が分圧する電圧（電圧値）は、基準設定回路４５の基準値よりも低い値のため、コンパレータＣＰの出力はＬＯＷレベルになり、電圧判定部４６は出力しない。
【００８３】
そのため、スイッチング回路ＳＷａはオフとなるため、第２の分圧回路４２ａは、整流回路１０から入力される電圧を分圧せず、したがって第２の分圧回路４２ａは出力しない。
【００８４】
商用電源ＡＣがＡＣ２００Ｖのとき、コンパレータＣＰは、基準設定回路４５の基準値と第１の分圧回路４１が分圧する電圧（電圧値）と比較する。このとき、第１の分圧回路４１が分圧する電圧（電圧値）は、基準設定回路４５の基準値よりも高い値のため、コンパレータＣＰの出力はＨＩＧＨレベルになり、電圧判定部４６は出力する。
【００８５】
そのため、スイッチング回路ＳＷａはオンとなるため、第２の分圧回路４２ａは、整流回路１０から入力される電圧を分圧し、したがって第２の分圧回路４２ａは出力する。
【００８６】
第２の分圧回路４２ａが出力するとき、第１の分圧回路４１及び第２の分圧回路４２ａが出力する電圧を合成して制御電源Ｖｃｃを生成するとともに、第１の分圧回路４１と第２の分圧回路４２ａのインピーダンスも合成され、第１の分圧回路４１と第２の分圧回路４２ａに流れる電流は商用電源ＡＣがＡＣ１００Ｖのときとほぼ同じ電流となる。
【００８７】
したがって、入力される商用電源ＡＣの電圧によらず、制御電源Ｖｃｃの電流をほぼ一定とすることができるとともに、低電圧電源回路４０ａによる電力ロスを減らすことができる。
【００８８】
なお、本実施の形態において、電圧検出回路４３ａにコンパレータＣＰを用いてスイッチング回路ＳＷａをＯＮ／ＯＦＦ動作する場合について説明したが、電圧検出回路４３ａにオペアンプなどを用いて、スイッチング回路ＳＷａを能動的に動作させ、第２の分圧回路４２ａの分圧比を入力される商用電源ＡＣの電圧に応じて変動させるようにしてもよい。
【００８９】
このように、第２の分圧回路４２ａの分圧比を入力される商用電源ＡＣの電圧に応じて変動させるので、商用電源ＡＣの電圧が例えば、ＡＣ１００Ｖ、ＡＣ２００Ｖ、ＡＣ２５４Ｖなど３種類以上の商用電源ＡＣの電圧に対応して、第２の分圧回路４２ａの分圧比を適切な分圧比とすることができる。
【００９０】
したがって、商用電源ＡＣの電圧が変化しても、制御電源Ｖｃｃの電流をほぼ一定とすることができ、低電圧電源回路４０ａの電力ロスを少なくすることができる。
【図面の簡単な説明】
【００９１】
【図１】実施の形態１に示す照明器具である。
【図２】実施の形態１を示す点灯装置のブロック図である。
【図３】実施の形態１を示す点灯装置の詳細を示す回路ブロック図である。
【図４】実施の形態１と比較するための従来の点灯装置を示す回路ブロック図である。
【図５】実施の形態２を示す点灯装置の詳細を示す回路ブロック図である。
【符号の説明】
【００９２】
１  照明器具、２  点灯装置、３  ランプソケット、４  反射板、５  器具本体、ＡＣ  商用電源、１０  整流回路、２０  昇圧チョッパ回路、３０  点灯回路、３１  インバータ回路、３２  負荷回路、４０  低電圧電源回路、４１  第１の分圧回路、４２、４２ａ  第２の分圧回路、４３、４３ａ  電圧検出回路、４４  制御電源出力部、４５  基準設定回路、５０  制御回路、５１  インバータ制御回路、５２  異常ランプ検出部、ＬＡ  光源、ＤＢ  ダイオードブリッジ、Ｃ１  コンデンサ、Ｃ２、Ｃ５、Ｃ６  平滑コンデンサ、Ｃ３  結合コンデンサ、Ｃ４  始動コンデンサ、Ｃ２１、Ｃ２２  コンデンサ、Ｌ１、Ｌ２  インダクタ、Ｄ１、Ｄ２  ダイオード、Ｄｚ１〜Ｄｚ５  ツェナーダイオード、Ｑ１〜Ｑ３  ＭＯＳ−ＦＥＴ、Ｑ４、Ｑ５  ＮＰＮトランジスタ、Ｑ６  ＰＮＰトランジスタ、ＩＣ１  昇圧チョッパ制御回路、ＳＷ、ＳＷａ  スイッチング回路、Ｒ１〜Ｒ３  抵抗、Ｒ４  電流検出抵抗、Ｒ５、Ｒ６  電圧検出抵抗、Ｒ７  抵抗、Ｒ８、Ｒ９  電流制限抵抗、Ｒ１０〜Ｒ１８、Ｒ２０、Ｒ２１  抵抗、ＰＣ  フォトカプラ、ＣＰ  コンパレータ、ＰＷ  比較判定部電源生成回路、１００  低電圧電源回路、Ｒ１００、Ｒ１０１  抵抗、Ｄｚ１００  ツェナーダイオード、Ｃ１００  コンデンサ。
【図１】
2010102998.tif 000003
【図２】
2010102998.tif 000004
【図３】
2010102998.tif 000005
【図４】
2010102998.tif 000006
【図５】
2010102998.tif 000007